(57)【要約】【課題】携帯電話やコンピューターの数字入力部を通じて迅速で容易に文字を入力するように、二つの文字盤組合せで日本語文字を入力／表示することができる日本語文字入力方法を提供する。【解決手段】日本語文字の５０音図の入力ができるように、入力キーに“行文字”を割り当て、前記“行文字”が割り当てられた入力キーに“あいうえお”の段をさらに割り当てて入力キーに“行文字”と“段”を同時に割り当て、このように割り当てられた入力キーを１回押せば“行文字”が認識され、続いて“行文字”を押せば“段”に認識して、５０音図の日本語文字の中でいずれか一つの文字が入力されるようにする。【選択図】図４
2011086271.tif 000002
【特許請求の範囲】
【請求項１】
日本語文字の５０音図の入力ができるように、入力キーに前記５０音図の“行文字”を割り当て、
前記“行文字”が割り当てられた前記入力キーに前記５０音図の“あいうえお”の段をさらに割り当てて、前記入力キーに“行文字”と“段”を同時に割り当て、
このように割り当てられた前記入力キーを１回押せば“行文字”が認識され、続いて“行文字”を押せば“段”を認識して、５０音図の日本語文字の中でいずれか一つの文字が入力されるようにしたことを特徴とする、日本語文字入力方法。
【請求項２】
前記入力キーは、１０個で構成されたことを特徴とする、請求項１に記載の日本語の文字入力方法。
【請求項３】
前記入力キーは、４行×３列で構成されるかあるいは１行で構成されたことを特徴とする、請求項１または２に記載の日本語の文字入力方法。
【請求項４】
前記４行×３列の前記入力キーは、
１行２列に５０音図のあ行文字を割り当て、
前記２列の左列である１行〜４行のそれぞれの１列に、か行文字、さ行文字、た行文字、な行文字を割り当て、前記２列の右列である１行〜４行のそれぞれの３列に、は行文字、ま行文字、や行文字、ら行文字を割り当て、
前記あ行文字にあ段を割り当て、
前記左右列に共にい段、う段、え段、お段を順に割り当てたことを特徴とする、請求項３に記載の日本語文字入力方法。
【請求項５】
文字入力盤において、１０個の行文字入力キーを２行に配置し、
５個の段入力キーを前記２行に配置された行文字入力キーに平行に２行に配置して、行文字入力キーと段入力キーを連続して押すことにより、日本語文字の５０音図文字が入力されるようにしたことを特徴とする、日本語文字入力方法。
【請求項６】
文字入力盤において、１０個の行文字入力キーを１行に配置し、
この行文字入力キーの下側または上側に５個の段入力キーを中央から両側に向かってそれぞれ対応するように配置して、行文字入力キーと段入力キーを連続して押すことにより、日本語文字の５０音図文字が入力されるようにしたことを特徴とする、日本語文字入力方法。
【請求項７】
段入力キーの下側に行文字入力キーがさらに配置され、段入力キーの上側の行文字入力キーと反対の順に配置されたことを特徴とする、請求項６に記載の日本語文字入力方法。
【発明の詳細な説明】
【技術分野】
【０００１】
本発明は日本語文字入力方法に係り、特に４行×３列で構成された携帯電話文字盤を二つの字板の組合せで日本語文字を容易でかつ速かに入力することができる日本語文字入力方法に関する。
【背景技術】
【０００２】
従来の日本語文字入力装置は、図１に示すように、４行×３列の携帯電話文字盤の中で３行３列に日本語のあ行、か行、さ行、た行、な行、は行、ま行、や行、ら行が表示され、４行中央部分にわ、を、んが表示される。
【０００３】
このような従来の携帯電話文字入力装置を利用して日本語文字の５０音図を入力しようとする場合、図２に示すように、マルチタップ（ｍｕｌｔｉ−ｔａｐ）の方式で、“あ（数字１）”キーには“あ”行に属する“あいうえお”などが順に割り当てられている。それで、“あ（数字１）”キーを１回押せば“あ”が入力され、相次いで２回押せば“い”が入力され、相次いで３回押せば“う”が入力され、相次いで４回押せば“え”が入力され、相次いで五回押せば“お”が入力される。
【０００４】
同様に、残りの数字キー（２〜０）にも日本語文字の“かきくけこ”、“さしすせそ”、“たちつてと”、“なにぬねの”、“はひふへほ”、“まみむめも”、“やゆよ”、“らりるれろ”、“わをん”などが割り当てられる。
【０００５】
“かきくけこ”の入力方式と同様に、さ行、た行、な行、は行、ま行、や行、ら行の文字も文字盤（数字盤）を１回ないし五回押すことで所望の文字を入力することができる。
【０００６】
したがって、文字入力の際に同一文字を繰り返して押す回数が多くて入力時間が長くかかるのはもちろんのこと、同一文字を繰り返して押さなければならないので、何回押したのか分からなくて再度入力しなければならない場合がある。したがって、正確な文字を入力するためには、入力キーは非常に不便であった。
【発明の概要】
【発明が解決しようとする課題】
【０００７】
したがって、本発明は従来の問題点を解決するためになされたもので、少数の限定されたキーを持つ携帯電話やその他の情報通信用入力キー（コンピューターキーボード）などでも日本語文字を非常に簡便に入力することができ、使用者も容易に学ぶことができる日本語文字の入力方法を提供することをその目的とする。
【課題を解決するための手段】
【０００８】
前記課題を達成するために、本発明は、通常の携帯電話の文字配列である４行×３列の文字盤に日本語文字５０音図の行文字をそれぞれのキーに割り当てるとともに残りのキーに段文字を割り当てることで、日本語文字の入力を簡便で容易になし得るように構成することでなる。
【０００９】
また、文字入力キーに日本語文字の行文字と段を独立的に割り当てて構成することでなる。
【発明の効果】
【００１０】
本発明は携帯電話文字盤に行文字が割り当てられ、さらに段文字が割り当てられているので、日本語文字を非常に簡便に入力することができるのはもちろんのこと、文字入力方法も容易に学ぶことができる効果がある。
【００１１】
また、規則的に文字盤（または数字盤）を２回ずつ押して入力するので、入力時間が短縮される効果があるのはもちろんのこと、文字入力方法が簡素化される効果がある。
【図面の簡単な説明】
【００１２】
【図１】従来の日本語入力文字のキーを示す平面図である。
【図２】図１の入力例を示す説明図である。
【図３】本発明の日本語入力文字のキーを示す平面図である。
【図４】図３の入力例を示す表である。
【図５】本発明をコンピューターやノートブックなどの入力板に１行に適用したものを示す平面図である。
【図６】行文字入力キーと段入力キーを２行に配置したものを示す平面図である。
【図７】２行に配置した行文字入力キーの間に段入力キーを配置したものを示す平面図である。
【図８】行文字入力キーに平行に段入力キーを配列したものを示す平面図である。
【図９】従来のノートブック文字のキーを示す平面図である。
【図１０】図３の段文字盤を示す平面図である。
【図１１】図１１は、図３の他の実施例の段文字盤を示す平面図である。
【図１２】図１２は、図３の他の実施例の段文字盤を示す平面図である。
【図１３】図１３は、図３の他の実施例の段文字盤を示す平面図である。
【図１４】図１４は、図３の他の実施例の段文字盤を示す平面図である。
【図１５】図１５は、５行３列の文字盤の実施例を示す平面図である。
【図１６】図１６は、５行３列の文字盤の実施例を示す平面図である。
【発明を実施するための形態】
【００１３】
以下、添付図面を参照して本発明による日本語文字の５０音図の入力方法について詳細に説明する。
【００１４】
本発明の日本語文字の５０音図入力方法は、通常の４行３列の携帯電話文字盤に５０音図を構成する行文字をそれぞれのキーに割り当てて構成する。
【００１５】
そして、本発明の文字入力方法を効果的に達成するため“あ行”を構成する“あいうえお”の“あ行”文字盤を携帯電話の数字盤／文字入力盤を構成する１行の中央（１行目２列目）に割り当てる。この“あ行”文字盤にはまた“あ段”が割り当てられる(図３及び図１０参照)。
【００１６】
１行目の中央の“あ行”文字盤の左右及び下側に残りの行文字を割り当てる。残りの数字キー（１〜０）に日本語文字である“かきくけこ”を含む“か行”、“さしすせそ”を含む“さ行”、“たちつてと”を含む“た行”、“なにぬねの”を含む“な行”、“はひふへほ”を含む“は行”、“まみむめも”を含む“ま行”、“やゆよ”を含む“や行”、“らりるれろ”を含む“ら行”、“わをん”を含む“わ行”を数字盤／行文字盤に割り当てる(図３及び図１０参照)。
【００１７】
同時に、各行の両側（１列目と３列目）には対称に“い段”、“う段”、“え段”、“お段”が1行目から順番に割り当てられる（図３及び図１０参照）。
【００１８】
すなわち、１行、２行、３行の両側には行文字と段がそれぞれの入力キーに割り当てられ、同様に１行の中央に割り当てられた“あ行”にも“あ段”が割り当てられる。
【００１９】
このように、行文字と段をそれぞれ割り当て、各行を構成する日本語文字の順序と段を一致させることにより、文字の入力順序及び位置を簡便に憶えて容易に学習することができる。
【００２０】
例えば、１行の左右側に割り当てられた行文字（か行、は行）のうち左側行文字（か行）を押し、中央の“あ行”ないし右側の列（３列目）の“い段、う段、え段、お段”を選択して“行文字”を簡単に選択して入力することができる。
【００２１】
同様に、１行の右側に割り当てられた“行文字”（は行）を押し、中央の“あ行”ないし左側の列（１列目）の“い段、う段、え段、お段”を選択して“行文字”を簡単に選択して入力することができる。
【００２２】
本発明は“行文字”に“段”を重複して割り当てて“行文字”を押した後、他の“行文字”を押せば“段”に認識されるようにすることで、日本語文字を知っている者であれば誰でも易しく文字を入力することができる。
【００２３】
一方、１行中央に割り当てられたあ行（あいうえお）の場合、“あ行文字”を押した後、左側または右側の“い段、う段、え段、お段”を選択して“行文字”の“いうえお”を簡単に選択して入力することができる（図４参照）。
【００２４】
“あ行文字”を押した後、再び“あ行文字”を押せば“あ”が入力される。
【００２５】
“行文字”が割り当てられた入力キーと“段文字”が割り当てられた入力キーを同時に一つの入力キーに付与（行−段共有キー）して、１０個のキーだけでも“行”と“段”の入力キーを１回ずつ叩くことにより、５０音図の日本文字の入力を可能にしたことが本発明の特徴である。
【００２６】
本発明の日本語文字入力方法は、数字盤の１〜０は文字にかかわらず全世界的に共通であるので、数字盤に日本語を構成する５０音図の“行文字”を割り当て、この“行文字”に“あいうえお”の５段の順に“段”を割り当て、行文字盤を連続して２回押して文字を入力することができるように構成したものである。
【００２７】
日本語文字の入力は、同一または相異なる“行文字盤／段文字盤”を連続して２回押すことでなされる。行文字盤／段文字盤を１回押し、連続して行文字盤／段文字盤を押せば日本語文字が入力される。行文字盤／段文字盤を押した後、連続して行文字盤／段文字盤を押すことで、一番目に押した行文字盤／段文字盤は行文字が選択され、二番目に押した行文字盤／段文字盤は段文字が選択されるものである。
【００２８】
一方、このように、日本語の５０音図を入力する方法は、ＰＤＡフォン、スマートフォン、デスクトップコンピューターのキーボードまたはノートブックのキーボード（図９参照）などに適用できる。例えば、日本語文字を入力する選択キーを押した後、行文字盤と段板が割り当てられるか行文字盤と段板が独立的に割り当てられるように構成して入力することができる。
【００２９】
日本語の５０音図文字盤を構成する“行文字盤”をＰＤＡフォン、スマートフォン、デスクトップコンピューターのキーボード、ノートブックのキーボードなどに横に１０個のキーを割り当てて使用することができる。
【００３０】
図５〜図８に示すように、本発明の日本語文字を入力する方法を実行するために入力キーを構成することができる。
【００３１】
例えば、図５に示すように、文字入力盤において、１０個の行文字入力キーを１行に配置し、あ段〜お段および“ん”の段入力キーを、１行に配置した行文字入力キーと同じキーに配置し、行文字入力キーと段入力キーを両手でそれぞれ連続して押すことで、日本語文字の５０音図文字を入力するように構成することができる。このように構成された行文字入力キーと段入力キーの使い方は前述したようであるので、これについての説明は省略する。
【００３２】
例えば、図６に示すように、文字入力盤において、１０個の行文字入力キーを２行に配置し、５個の段入力キーを前記２行に配置された行文字入力キーに平行に２行に配置し、行文字入力キーと段入力キーを両手でそれぞれ連続して押すことで、日本語文字の５０音図文字を入力するように構成することができる。このように構成された行文字入力キーと段入力キーの使い方は前述したようであるので、これについての説明は省略する。
【００３３】
また、図８に示すように、文字入力盤において、１０個の行文字入力キーを２行に配置し、この行文字入力キーの下側または上側に５個の段入力キーを中央から両側に向かってそれぞれ対応するように配置して、行文字入力キーと段入力キーを両手で連続して押して日本語文字の５０音図文字を入力するように構成することができる。このように構成された行文字入力キーと段入力キーの使い方は前述したようであるので、これについての説明は省略する。
【００３４】
また、図７に示すように、段入力キーの上部と下部に行文字入力キーが配置され、段入力キーの上部の行文字入力キーと下部の行文字入力キーとを反対（反対の順）に配置して、両手で連続して押して日本語文字の５０音図文字を入力するように構成することができる。このように構成された行文字入力キーと段入力キーの使い方は前述したようであるので、これについての説明は省略する。
【００３５】
ここでは、日本語の“平仮名”を例として説明したが、“片仮名”も同じ方式で入力するように構成して使用することができる。
【００３６】
このように、２回入力して日本語文字を入力する本発明の日本語文字入力方法において、濁音と半濁音は中央列の残り文字盤を利用して入力することができる。
【００３７】
図１０は、図３の行文字盤に割り当てられた段文字盤を別に表示したものである。このように、日本語文字の段順にしたがって文字盤の左右側にい段、う段、え段、お段を上から下に割り当て、１行２列の中央にあ段が割り当てられているので、日本語文字の入力時間が短縮され、入力方式の学習が易しくなされることができる。
【００３８】
図１１は、あ段を文字盤の１行左右（１、３）列に割り当て、い段、う段、え段、お段を中央列の上から下に順番に割り当てたものである。
【００３９】
図１２は、あ段、い段、う段、え段を中央列の上から下に順番に割り当て、最下行の左右側にお段を割り当てたものである。
【００４０】
図１３は、４行３列の文字盤において、１行１列から右側にあ段、い段、う段を割り当て、続いて次の行である２行１列から右側にえ段、お段を割り当てたものである。
【００４１】
図１４は、あ段、い段、う段、え段を左右列の上から下に順番に割り当て、最下行の中央にお段を割り当てたものである。
【００４２】
図１５は、５行３列の文字盤において、中央列の上から下に順番にあ段、い段、う段、え段、お段を一列に割り当てたものであり、図１６は、左右列に一列にあ段、い段、う段、え段、お段を割り当てたものである。
【００４３】
このように、段文字盤を多様に配置して割り当てたものを例示したが、これらは図３と同様な方式で使われるので、これについての詳細な説明は省略する。
【産業上の利用可能性】
【００４４】
本発明は、４行×３列で構成された携帯電話文字盤を二つの字板の組合せで日本語文字を容易でかつ速かに入力する日本語文字入力方法に適用可能である。
【図１】
2011086271.tif 000003
【図２】
2011086271.tif 000004
【図３】
2011086271.tif 000005
【図４】
2011086271.tif 000006
【図５】
2011086271.tif 000007
【図６】
2011086271.tif 000008
【図７】
2011086271.tif 000009
【図８】
2011086271.tif 000010
【図９】
2011086271.tif 000011
【図１０】
2011086271.tif 000012
【図１１】
2011086271.tif 000013
【図１２】
2011086271.tif 000014
【図１３】
2011086271.tif 000015
【図１４】
2011086271.tif 000016
【図１５】
2011086271.tif 000017
【図１６】
2011086271.tif 000018